(57)【要約】【課題】本発明は、農作物等に農薬を散布するための農薬散布機に関する発明である。【解決手段】本発明は、上記の課題を解決するために、下部に風向調節部５を備えた枠体４からなる可動部２と、噴霧コード８を取り付けた送風部７を前方に備えた駆動部６からなる噴霧部３とからなり、前記風向調節部５に駆動部６が取り付けられたことを特徴とする農薬散布機１の構成とした。【選択図】  図１
2009219401.tif 000002
【特許請求の範囲】
【請求項１】
下部に風向調節部を備えた枠体からなる可動部と、噴霧コードを取り付けた送風部を前方に備えた駆動部からなる噴霧部とからなり、前記風向調節部に駆動部を取り付けたことを特徴とする農薬散布機。
【発明の詳細な説明】
【技術分野】
【０００１】
本発明は、農作物等に農薬を散布するための農薬散布機に関する発明である。
【背景技術】
【０００２】
従来、農作物等に農薬を散布する場合、図８に示すように複数の噴霧口１２ａを備えた散布用ノズル１２を持ち、植物に農薬が行き渡るようにノズル１２を持った両腕を上下左右に振りながら農薬を散布していた。
【０００３】
前記ノズル１２は農薬タンクから延長ホースにより接続されており、ノズル１２を動かしながら散布すると同時に延長ホースを引っ張りながらの作業であった。
【０００４】
また、小型の農薬タンクを背負い、この農薬タンクに前記ノズル１２を接続して農薬を散布する方法もあった。
【０００５】
しかしながら、従来の農薬散布方法では、３０〜５０ｋｇの高圧で農薬を噴霧するノズル１２を大きく動かしながら散布し、更に延長ホースを引っ張りながら散布するため作業者１０には負担が重い上に散布効率も悪かった。
【０００６】
一方、農薬タンクを背負いながら農薬を散布する方法では、前述のような延長ホースを引っ張る必要はなくなったが、背負っている農薬タンクが重いため重労働であることに代わりはなく、作業者１０の負担は重く散布効率も改善されていない。
【０００７】
以上のような農薬散布方法では農薬は噴霧口１２ａから上方に向かって噴霧し植物に降りかかるように散布しているため散布ムラがあり、充分に散布するためには必要以上の農薬を使用することとなりコストがかかっていた。
【０００８】
また、農薬を上方から降りかかるように散布しているため、作業者１０は農薬が体にかかっても良いように農薬散布用の作業着を頭から着て、更にゴーグルとマスクを着用しなければならなかった。
【特許文献１】特開平８−１５１号広報
【発明の開示】
【発明が解決しようとする課題】
【０００９】
そこで、本発明は、作業者に負担がかからず、少量の農薬で十分な散布ができ、短時間で作業を終了することができ、更に作業者に農薬がかからないため軽装で作業をすることができる農薬散布機を提供することを目的とするものである。
【課題を解決するための手段】
【００１０】
本発明は、上記の課題を解決するために、下部に風向調節部５を備えた枠体４からなる可動部２と、噴霧コード８を取り付けた送風部７を前方に備えた駆動部６からなる噴霧部３とからなり、前記風向調節部５に駆動部６が取り付けられたことを特徴とする農薬散布機１の構成とした。
【発明の効果】
【００１１】
本発明の農薬散布機は、噴霧された農薬を後方に拡散させるファンが取り付けられているため植物の葉を揺らしながら農薬を散布することができ、農薬を無駄にすることなく従来の約半分の量で充分な農薬散布を行うことができ、広い農地であっても短時間で農薬を散布することができる。
【００１２】
また、農薬散布機自体を引っ張りながらハンドルを上下左右動かし後方に向かって農薬を散布するため作業者に農薬が降りかかる心配がなく、従来よりも軽装で安全に作業をすることができる。
【００１３】
更に、農薬散布機の噴霧部を上下左右に方向を変えながら引っ張り歩くだけであるため、作業者に負担がかからず、また、短時間で散布を終了することができるため更に負担が軽くなる。
【発明を実施するための最良の形態】
【００１４】
農薬散布時の負担を軽くし、従来の半分の農薬量で充分な農薬散布を行うことができる目的を、前方斜め上方及び左右に向き変え可能なファンを取り付けることによって実現した。
【実施例１】
【００１５】
図１は本発明である農薬散布機の正面図、図２は農薬散布機の噴霧部を右方に向けた状態を示した正面図、図３は農薬散布機の噴霧部を左方に向けた状態を示した正面図、図４は農薬散布機の左側面図、図５は農薬散布機の右側面図、図６は農薬散布機の平面図である。
【００１６】
図１から図６に示すように、本発明である農薬散布機１は、下部に風向調節部５を備えた枠体４からなる可動部２と、噴霧コード８を取り付けた送風部７を前方に備えた駆動部６からなる噴霧部３とからなり、前記風向調節部５に駆動部６が取り付けられている。
【００１７】
前記枠体４は長方形状をしており、上辺をハンドル４ａとし、下辺に車軸枠４ｄを備えている。左右枠４ｂ、４ｃの下端より正面下方に向かってスタンド左右枠４ｅ、４ｆが傾斜して伸びており、前記スタンド左右枠４ｅ、４ｆの下端同士が起立スタンド枠４ｇで連結されている。
【００１８】
前記左枠４ｂと右枠４ｃの中央付近同士は調節軸４ｉで連結されており、更に左枠４ｂと右枠４ｃの前記ハンドル４ａと調節軸４ｉの中間部付近にあたる位置同士は中板４ｈで連結されている。また、左右枠４ｂ、４ｃの調節軸４ｉを接続した位置よりやや下部同士は略Ｖ字状のＶ字軸４ｊで連結されており、このＶ字軸４ｊの頂点部は左右軸４ｂ、４ｃから前方に向かって突出した状態となっている。
【００１９】
前記車軸枠４ｄにはタイヤ軸４ｌが挿通されており、このタイヤ軸４ｌの両端にはタイヤ４ｍが取り付けられている。タイヤ軸４ｌは車軸枠４ｄ内を自由に回転することができ、即ちタイヤ４ｍが前方及び後方に自由に回転することができる。
【００２０】
中板４ｈ上の右端、即ち右枠４ｃ側には工具入れ４ｋが取り付けており、この工具入れ４ｋの取り付け位置は特に限定したものではない。また、取り付けなくてもよいものとする。
【００２１】
図１から図６に示すように、前記風向調節部５は上部に固定部５ｄを備え中央下部には先端に調節板５ａを形成した連結部５ｂを備えたスライド筒５ｃと前記調節板５ａの下部に取り付けられた略Ｕ字型の連結枠５ｅとからなる。
【００２２】
前記スライド筒５ｃには枠体４の調節軸４ｉが挿通されており、スライド筒５ｃが左右にスライドすることができる。スライド筒５ｃの左右スライドを制御する機構として前記固定部５ｄが取り付けられている。固定部５ｄはスライド筒５ｃ上面から筒内に貫通して穿設された孔に螺合されており、固定部５ｄを締めることでスライド筒５ｄが固定され、緩めることでスライド筒５ｄが左右にスライド可能となる。
【００２３】
前記連結部５ｂと調節板５ａの接続部及び連結枠５ｅの上枠中央部分は留め具５ｆを介してＶ字軸４ｊの頂点部と回動可能に連結されており、図２及び図３に示すように、スライド筒５ｃを左方にスライドさせた場合に留め具５ｆを中心として調節板５ａが右方に動き、スライド筒５ｃを右方にスライドさせた場合は調節板５ａが左方に動く。
【００２４】
また、前記調節板５ａの下部に連結された連結枠５ｅについても、調節板５ａが右方に動いた場合は右方を向き、調節板５ａが左方に動いた場合は左方を向く。
【００２５】
図６に示すように、前記駆動部６は左面にキャブレーター６ｃを備え、右面にマフラー６ｂを備えたエンジン６ａと、前記エンジン６ａの下部に取り付けられたガソリンタンク６ｅとなからなる。
【００２６】
前記エンジン６ａの正面中央から前方に向かっては連結軸６ｄが伸びており、エンジン６ａが始動すると連結軸６ｄ内の軸が高速回転する。連結軸６ｄの左右面は連結枠５ｅの両端と連結されている。
【００２７】
前記エンジン６ａからはアクセルコード６ｇが伸びており、アクセルコード６ｇの先端にはアクセル６ｈが取り付けられている。尚、アクセルコード６ｇは図１に示すように左枠４ｂに沿って取り付けられており、先端のアクセル６ｈが左枠４ｂの中板４ｈ付近に取付具６ｉにより取り付けられている。
【００２８】
エンジン６ａの後方にはスターター６ｆが取り付けられており、このスターター６ｆを引っ張ることによりエンジン６ａが始動する。尚、エンジンを切る場合には、図１に示した中板４ｈの上面に取り付けられているオフスイッチ６ｌにより切ることができる。
【００２９】
尚、前記ガソリンタンク６ｅの下部は連結具６ｋを介して前記起立スタンド４ｇに連結されている。また、図１から図５に示した符号６ｊは固定具を示しており、前記アクセルコード６ｇを固定するための部材である。
【００３０】
図１から図５に示すように、前記送風部７は背面に防護網７ｅを取り付けたファンドラム７ａと前記ファンドラム７ａ内に設置されるファン７ｂとからなる。ファン７ｂの軸は前記駆動部６の連結軸６ｄ内を回転する軸に連結されており、エンジン６ａが始動することで連結軸６ｄ内の軸及びファン７ｂが回転する。
【００３１】
ファンドラム７ａの正面にはファンドラム７ａの直径分の横軸７ｃとファンドラム７ａの半径分の縦軸７ｄが取り付けられており、縦軸７ｄは横軸７ｃの中央から下方に向かって垂直に伸びてファンドラム７ａの内壁面に取り付けられている。
【００３２】
上述のように、連結枠５ｅと連結された連結軸６ｄ及び連結軸６ｄの先端に取り付けられた送風部７は全て固定により連結されているため連結枠５ｅと常に同方向を向く。
【００３３】
図１から図６に示すように、複数の噴霧口８ａを備えた噴霧コード８は略円形を形成するように前記ファンドラム７ａの縦軸７ｄ及び横軸７ｃに取り付けられている。噴霧コード８の先端にはドレン８ｂが取り付けられており、他端は連結具８ｃを介して接続コード８ｄに連結されている。噴霧コード８の縦軸７ｄ及び横軸７ｃへの取付は固定具７ｆにより行われている。
【００３４】
接続コード８ｄは途中にバルブ８ｅを設けており、バルブ８ｅの位置で右枠４ｃに固定具８ｇにより固定されている。また、接続コード８ｄの他端はカプラ８ｆが取り付けられており、このカプラ８ｆを介して農薬タンクから伸びるホースに連結される。
【００３５】
図７は、本発明である農薬散布機を使用した状態を示した図である。図７に示すように、本発明である農薬散布機１を動力噴霧機１３を介して農薬タンクから伸びるホースに接続し送風部７の方向を左右に変えながら引いてゆく。
【００３６】
送風機構７の方向を変えるには風向調節部５を操作することで容易に変えることができる。噴霧口８ａから噴霧される農薬９はファン７ｂにより拡散し、同時にファン７ｂの風力により植物が揺れるため、噴霧された農薬が植物に満遍なく行き渡る。
【００３７】
また、農薬９はファン７ｂによって農薬散布機１を引いて歩く作業員１０とは反対方向に噴霧されているため、作業員１０に農薬がかかることはなく、従来よりも軽装で作業を行うことができる。尚、符号１１は農作物を示している。
【００３８】
図８は、従来の農薬散布機方法を示した図である。背景技術において示したように、従来の農薬散布では作業員１０が複数の噴霧口１２ａを備えたノズル１２を持ち、農薬が上方に向かうように噴霧していた。
【００３９】
この場合、噴霧した農薬が農作物１１の上に降りかかるように散布されるが、農作物１１に満遍なく散布するには植物を揺らしながら散布しなければならず、余計な体力や時間をかけたにも拘わらず、十分に農薬散布を行うことができなかった。
【００４０】
また、必要以上に農薬を使用することとなり、非常にコストのかかる方法であった。
【図面の簡単な説明】
【００４１】
【図１】本発明である農薬散布機の正面図である。
【図２】本発明である農薬散布機の噴霧部を右方に向けた状態を示した正面図である。
【図３】本発明である農薬散布機の噴霧部を左方に向けた状態を示した正面図である。
【図４】本発明である農薬散布機の左側面図である。
【図５】本発明である農薬散布機の右側面図である。
【図６】本発明である農薬散布機の平面図である。
【図７】本発明である農薬散布機を使用した状態を示した図である。
【図８】従来の農薬散布機方法を示した図である。
【符号の説明】
【００４２】
１      農薬散布機
２      可動部
３      噴霧部
４      枠体
４ａ    ハンドル
４ｂ    左枠
４ｃ    右枠
４ｄ    車軸枠
４ｅ    スタンド左枠
４ｆ    スタンド右枠
４ｇ    起立スタンド枠
４ｈ    中板
４ｉ    調節軸
４ｊ    Ｖ字軸
４ｋ    工具入れ
４ｌ    タイヤ軸
４ｍ    タイヤ
５      風向調節部
５ａ    調節板
５ｂ    連結部
５ｃ    スライド筒
５ｄ    固定部
５ｅ    連結枠
５ｆ    留め具
６      駆動部
６ａ    エンジン
６ｂ    マフラー
６ｃ    キャブレーター
６ｄ    連結軸
６ｅ    ガソリンタンク
６ｆ    スターター
６ｇ    アクセルコード
６ｈ    アクセル
６ｉ    取付具
６ｊ    固定具
６ｋ    連結具
６ｌ    オフスイッチ
７      送風部
７ａ    ファンドラム
７ｂ    ファン
７ｃ    横軸
７ｄ    縦軸
７ｅ    防護網
７ｆ    固定具
８      噴霧コード
８ａ    噴霧口
８ｂ    ドレン
８ｃ    連結具
８ｄ    接続コード
８ｅ    バルブ
８ｆ    カプラ
８ｇ    固定具
９      農薬
１０      作業員
１１      農作物
１２      ノズル
１２ａ    噴霧口
１３      動力噴霧機
【図１】
2009219401.tif 000003
【図２】
2009219401.tif 000004
【図３】
2009219401.tif 000005
【図４】
2009219401.tif 000006
【図５】
2009219401.tif 000007
【図６】
2009219401.tif 000008
【図７】
2009219401.tif 000009
【図８】
2009219401.tif 000010
【手続補正書】
【提出日】平成20年9月10日(2008.9.10)
【手続補正１】
【補正対象書類名】明細書
【補正対象項目名】０００５
【補正方法】変更
【補正の内容】
【０００５】
しかしながら、従来の農薬散布方法では、３０〜５０ｋｇ／ｃｍ２の高圧で農薬を噴霧するノズル１２を大きく動かしながら散布し、更に延長ホースを引っ張りながら散布するため作業者１０には負担が重い上に散布効率も悪かった。